(57)【要約】【課題】運転免許証に記録される運転免許証情報とキーＩＤとに基づいて自動車の使用を制限することができるようにする。【解決手段】認証装置３００のＩＣリーダ３５０によってキー１００のＩＣタグ１１０に記憶されているキーＩＤが読み取られ、運転免許証２００のＩＣタグ２１０に記憶されている運転免許証情報が読み取られ、不揮発メモリ３７０に記憶されているキーＩＤおよび運転免許証情報と照合され、一致するとき、エンジン駆動制御部３６０によりエンジン制御部４００に対してエンジン起動が許可され、一致しないときエンジン起動が不許可とされる。【選択図】図１
2008239119.tif 000002
【特許請求の範囲】
【請求項１】
自動車のキーに記録されているキー識別情報、および前記自動車の所有者が所持する運転免許証に記録されている運転免許証情報を記憶する記憶手段と、
前記自動車を運転しようとする者が所持するキーに記録されているキー識別情報、および前記自動車を運転しようとする者が所持する運転免許証に記録されている運転免許証情報を読み取る読取手段と、
前記読取手段によって読み取られた前記キー識別情報、および前記運転免許証に記録されている前記運転免許証情報と、前記記憶手段によって予め記憶されている前記キー識別情報、および前記運転免許証情報とをそれぞれ比較する比較手段と、
前記比較手段による比較の結果、前記読取手段によって読み取られた前記キー識別情報と、前記記憶手段によって記憶されている前記キー識別情報とが一致するとともに、前記読取手段によって読み取られた前記運転免許証情報と、前記記憶手段によって記憶されている前記運転免許証情報とが一致したとき、前記自動車のエンジン駆動を許可するエンジン駆動許可手段と
を備えることを特徴とする自動車盗難防止装置。
【請求項２】
前記記憶手段は、前記所有者が前記自動車の使用を許可した被使用許可者が所持する運転免許証の運転免許証情報をさらに記憶し、
前記比較手段は、前記読取手段によって読み取られた前記キー識別情報、および前記運転免許証に記録されている前記運転免許証情報と、前記記憶手段によって予め記憶されている前記キー識別情報、および前記運転免許証情報とをそれぞれ比較し、
前記エンジン駆動許可手段は、前記比較手段による比較の結果、前記読取手段によって読み取られた前記キー識別情報と、前記記憶手段によって記憶されている前記キー識別情報とが一致するとともに、前記読取手段によって読み取られた前記運転免許証情報と、前記記憶手段によって記憶されている前記運転免許証情報の少なくともいずれか１つが一致したとき、前記自動車のエンジン駆動を許可する
ことを特徴とする請求項１に記載の自動車盗難防止装置。
【発明の詳細な説明】
【技術分野】
【０００１】
本発明は自動車盗難防止装置に関し、特に、運転免許証に記憶されている運転免許証情報を利用して自動車の盗難を防止する自動車盗難防止装置に関する。
【背景技術】
【０００２】
従来、自動車を運転する場合、その自動車に適合するキーを用いてエンジンを始動させ、自動車を運転する。従って、その自動車に適合するキーがあれば誰でもエンジンを始動させることができ、自動車を盗むことも可能であった。
そこで、自動車の運転席近傍に質問器を取り付け、応答器を付着したカード、腕輪、首輪等を正当な運転者、又は所有者が常時携行し、運転しようとする運転者が駐車ブレーキを解除するか、又は自動変速装置を有する車両では変速機の駐車ポジションを解除すると同時に、質問器が予め設定された時間間隔で運転者が携行している応答器と交信し、質問器に予め登録されたＩＤ番号と、応答器が応答してきたＩＤ番号とが異なる場合、或いは予め設定された回数だけ質問器が質問を行っても無応答の場合には、エンジン始動及び点火のための電源を供給する回路に埋め込まれたエンジン作動用電源開閉器に対して電源遮断信号を発信してエンジンの起動の阻止又は停止を行うことにより、自動車を使用できないようにして自動車の盗難を防止する方法が開示されている（例えば、特許文献１参照）。
【０００３】
【特許文献１】特開２００２−３４７５７９号公報
【発明の開示】
【発明が解決しようとする課題】
【０００４】
このように、背景技術では、自動車に適合するキーを所持していれば誰でもその自動車のエンジンを始動させて運転することができる。
また、特許文献１記載の発明では、自動車を運転しようとする者は、応答器を付着したカード、腕輪、首輪等を常時携行しなければならず、煩わしいという問題があった。
【０００５】
本発明はこのような状況に鑑みてなされたものであり、自動車の所有者と、所有者が許可した者だけがその自動車のエンジンを始動して使用することができるようにし、自動車の盗難の発生を抑制することができる自動車盗難防止装置を提供することを目的とする。
【課題を解決するための手段】
【０００６】
請求項１に記載の自動車盗難防止装置は、自動車のキーに記録されているキー識別情報、および前記自動車の所有者が所持する運転免許証に記録されている運転免許証情報を記憶する記憶手段と、前記自動車を運転しようとする者が所持するキーに記録されているキー識別情報、および前記自動車を運転しようとする者が所持する運転免許証に記録されている運転免許証情報を読み取る読取手段と、前記読取手段によって読み取られた前記キー識別情報、および前記運転免許証に記録されている前記運転免許証情報と、前記記憶手段によって予め記憶されている前記キー識別情報、および前記運転免許証情報とをそれぞれ比較する比較手段と、前記比較手段による比較の結果、前記読取手段によって読み取られた前記キー識別情報と、前記記憶手段によって記憶されている前記キー識別情報とが一致するとともに、前記読取手段によって読み取られた前記運転免許証情報と、前記記憶手段によって記憶されている前記運転免許証情報とが一致したとき、前記自動車のエンジン駆動を許可するエンジン駆動許可手段とを備えることを特徴とする。
また、前記記憶手段は、前記所有者が前記自動車の使用を許可した被使用許可者が所持する運転免許証の運転免許証情報をさらに記憶し、前記比較手段は、前記読取手段によって読み取られた前記キー識別情報、および前記運転免許証に記録されている前記運転免許証情報と、前記記憶手段によって予め記憶されている前記キー識別情報、および前記運転免許証情報とをそれぞれ比較し、前記エンジン駆動許可手段は、前記比較手段による比較の結果、前記読取手段によって読み取られた前記キー識別情報と、前記記憶手段によって記憶されている前記キー識別情報とが一致するとともに、前記読取手段によって読み取られた前記運転免許証情報と、前記記憶手段によって記憶されている前記運転免許証情報の少なくともいずれか１つが一致したとき、前記自動車のエンジン駆動を許可するようにすることができる。
【発明の効果】
【０００７】
本発明によれば、自動車のキーの識別情報と、運転免許証の運転免許証情報とに基づいて、自動車の使用が可能な者か否かを認証するようにしたので、所有者でも、所有者が許可した者でもない他の者が、自動車を無断で使用することを抑制することができる。
【発明を実施するための最良の形態】
【０００８】
図１は、本発明の自動車盗難防止装置が適用される認証装置の一実施の形態の構成例を示すブロック図である。同図に示すように、認証装置３００は、制御プログラム等を記憶するＲＯＭ（Read Only Memory）３２０と、ＲＯＭ３２０に記憶されている制御プログラムが展開されるとともに、各種データを一時的に記憶するＲＡＭ（Random Access Memory）３３０と、ＲＡＭ３３０に展開された制御プログラムに従って各種処理を実行するとともに、各部を制御するＣＰＵ（Central Processing Unit）３１０と、携帯電話機やパーソナルコンピュータとＬＡＮ（Local Area Network）等を介して通信を行う通信部３４０と、キー１００に内蔵されているＩＣタグ１１０に記録されているキーの識別情報であるキーＩＤ（Identifier）を読み取るとともに、運転免許証２００に埋め込まれているＩＣタグ２１０に記憶されている本人を確認するための情報である運転免許証情報を読み取るＩＣリーダ３５０と、エンジン駆動の可否を制御するエンジン駆動制御部３６０と、キーＩＤ、所有者の運転免許証情報、所有者が使用を許可した人の運転免許証情報等が記憶される不揮発メモリ３７０等から構成されている。所有者が使用を許可した人が複数人の場合、所有者が使用を許可した人の運転免許証情報も複数記憶されることになる。
【０００９】
ＩＣタグ１１０は、キーＩＤ等のデータを記憶するメモリと、データの送受信を行うための通信制御等の各種制御処理を行う制御部と、アンテナ等により構成されている。ＩＣタグ２１０も同様に、運転免許証情報等のデータを記憶するメモリと、データの送受信を行うための通信制御等の各種制御処理を行う制御部と、アンテナ等により構成されている。
【００１０】
エンジン駆動制御部３６０が、エンジン駆動の許可または不許可を指示する情報は、自動車のエンジン制御を行うエンジン制御部４００に供給され、エンジン制御部４００は、例えば、キー操作によりエンジン始動が指示された場合、エンジン駆動制御部３６０によってエンジンの駆動が許可されているときにだけ、エンジンを始動するようになっている。また、エンジン駆動中であってもエンジン駆動制御部３６０からエンジンの駆動が許可されなくなったときには、エンジン制御部４００は、エンジンの駆動を停止させるようになっている。
【００１１】
まず、自動車が工場から出荷される前に、不揮発メモリ３７０にキー１００に対応するキーＩＤが記憶される。例えば、自動車のキー１００に内蔵されているＩＣタグ１１０に記録されているキーＩＤが、認証装置３００のＩＣリーダ３５０によって読み取られ、ＣＰＵ３１０の制御下、不揮発メモリ３７０に供給され、記憶される。或いは、書き換え不可能なＲＯＭ等に予めキーＩＤを記憶させておくようにしても良い。
【００１２】
自動車が工場から出荷され、所有者が決まると、所有者の運転免許証２００に埋め込まれたＩＣタグ２１０に記憶されている、例えば、運転免許証番号、氏名、生年月日、本籍、住所、顔写真データ等からなる運転免許証情報を、不揮発メモリ３７０に記憶させる必要がある。例えば、認証装置３００のＣＰＵ３１０の制御下、ＩＣリーダ３５０が運転免許証２００のＩＣタグ２１０に記憶されている運転免許証情報を読み取り、不揮発メモリ３７０に供給し、記憶させるようにすることができる。
【００１３】
或いは、ＩＣタグに記憶されているデータを読み取るＩＣリーダを備えるパーソナルコンピュータや携帯電話機等を用いて運転免許証２００のＩＣタグ２１０に記憶されている運転免許証情報を読み取り、読み取った運転免許証情報をＬＡＮ等のネットワークを介して認証装置３００に送信し、認証装置３００のＣＰＵ３１０がパーソナルコンピュータや携帯電話機等からネットワーク経由で送信されてきた運転免許証情報を通信部３４０を介して受信し、不揮発メモリ３７０に書き込むようにしても良い。
【００１４】
自動車の所有者が他の人にその自動車の使用を許可する場合には、使用を許可された人が所持する運転免許証２００の運転免許証情報も認証装置３００の不揮発メモリ３７０に記憶させる必要がある。その場合、上述した所有者の運転免許証２００の運転免許証情報を不揮発メモリ３７０に記憶させる方法と同様の方法で、使用を許可された人の運転免許証２００の運転免許証情報を不揮発メモリ３７０に記憶させるようにすることができる。
【００１５】
しかし、認証装置３００の不揮発メモリ３７０に運転免許証情報を簡単に登録することが可能であるとすると、自動車の所有者が許可していない他人が不正に運転免許証情報を不揮発メモリ３７０に記憶させ、自動車を使用する虞がある。従って、不揮発性メモリ３７０に運転免許証情報を記憶させる場合には、例えば、使用が許可された人の運転免許証２００を認証装置３００のＩＣリーダ３５０付近に置いて運転免許証情報をＩＣリーダ３５０に読み取らせるとともに、所定のパスワードをパーソナルコンピュータや携帯電話機等を用いて認証装置３００に送信し、認証装置３００に予め外部から読み出しができないように記憶されたパスワードと照合し、一致した場合にだけＩＣリーダ３５０が読み取った運転免許証情報を不揮発メモリ３７０に記憶させるようにするなどの方法が考えられる。
【００１６】
次に、図２のフローチャートを参照して、本実施の形態の処理手順について説明する。認証装置３００のＣＰＵ３１０は、ＲＡＭ３３０に展開された制御プログラムに従って動作し、まず、ステップＳ１において、自動車のキー１００に内蔵されているＩＣタグ１１０から、キーの識別情報であるキーＩＤをＩＣリーダ３５０を介して読み取り、ＲＡＭ３３０に一旦記憶させる。
【００１７】
即ち、ＣＰＵ３１０の制御下、ＩＣリーダ３５０は、ＩＣタグ１１０と通信を行い、ＩＣタグ１１０に対してキーＩＤを送信するよう要求するコマンドをＩＣタグ１１０に送信する。このコマンドを受信したＩＣタグ１１０の図示しない制御部は、図示しないメモリに記憶されているキーＩＤを読み出し、図示しないアンテナを介して電波により送信する。ＩＣリーダ３５０は、ＩＣタグ１１０より送信されてきたキーＩＤを受信し、受信したキーＩＤをＣＰＵ３１０に供給する。ＣＰＵ３１０は、ＩＣリーダ３５０より供給されたキーＩＤをＲＡＭ３３０に供給し、一旦記憶させる。
【００１８】
次に、ステップＳ２において、ＣＰＵ３１０は、運転免許証２００のＩＣタグ２１０から、運転免許証情報をＩＣリーダ３５０を介して読み取り、ＲＡＭ３３０に供給し、一旦記憶させる。即ち、ＣＰＵ３１０の制御下、ＩＣリーダ３５０は、ＩＣタグ２１０と通信を行い、ＩＣタグ２１０に対して運転免許証情報を送信するよう要求するコマンドをＩＣタグ２１０に送信する。このコマンドを受信したＩＣタグ２１０の図示しない制御部は、図示しないメモリに記憶されている運転免許証情報を読み出し、読み出した運転免許証情報を図示しないアンテナを介して電波により送信する。ＩＣリーダ３５０は、ＩＣタグ２１０より送信されてきた運転免許証情報を受信し、受信した運転免許証情報をＣＰＵ３１０に供給する。ＣＰＵ３１０は、ＩＣリーダ３５０より供給された運転免許証情報をＲＡＭ３３０に供給し、一旦記憶させる。
【００１９】
次に、ステップＳ３において、ＣＰＵ３１０は、予め不揮発メモリ３７０に登録され記憶されているキーＩＤおよび運転免許証情報（所有者の運転免許証情報および所有者が運転を許可した人の運転免許証情報がある場合にはその運転免許証情報）を読み出し、読み出したキーＩＤおよび運転免許証情報と、ＩＣリーダ３５０を介して取得したキーＩＤおよび運転免許証情報とをそれぞれ比較する。不揮発メモリ３７０に複数の運転免許証情報が記憶されている場合（所有者が運転を許可した人の運転免許証情報が記憶されている場合）には、複数の運転免許証情報のそれぞれと、ＩＣリーダ３５０を介して取得された運転免許証情報とが比較される。
【００２０】
ステップＳ４においては、比較の結果、不揮発メモリ３７０から読み出したキーＩＤおよび運転免許証情報と、ＩＣリーダ３５０を介して取得したキーＩＤおよび運転免許証情報とがそれぞれ一致するか否かが判定される。不揮発メモリ３７０に複数の運転免許証情報が記憶されている場合には、複数の運転免許証情報のうちのいずれかが、ＩＣリーダ３５０によって取得された運転免許証情報と一致するとき、運転免許証情報に関しては一致したとされる。キーＩＤおよび運転免許証情報の少なくともいずれか一方が一致しないと判定された場合、ステップＳ６に進む。一方、キーＩＤおよび運転免許証情報の双方が一致すると判定された場合、ステップＳ５に進む。
【００２１】
ステップＳ６においては、エンジン駆動制御部３６０により、エンジン駆動不許可を示すデータが出力され、エンジン制御部４００に対して供給される。ステップＳ５においては、エンジン駆動制御部３６０により、エンジン駆動許可を示すデータが出力され、エンジン制御部４００に対して供給される。
【００２２】
ステップＳ５またはステップＳ６の処理が終了すると、ステップＳ１に戻り、ステップＳ１以降の処理が繰り返し実行される。
【００２３】
エンジン制御部４００は、エンジン駆動制御部３６０からエンジン駆動不許可を示すデータが供給されると、エンジン制御部４００のメモリ４１０に記憶されているエンジン駆動許可フラグに値０（エンジン駆動不許可）を設定する。一方、エンジン駆動制御部３６０からエンジン駆動許可を示すデータが供給されると、エンジン駆動許可フラグに値１（エンジン駆動許可）を設定する。
【００２４】
エンジン制御部４００は、エンジン駆動前にはキー１００の操作によりエンジン始動指示がなされた場合にメモリ４１０に記憶されているエンジン駆動許可フラグの値を参照し、エンジン駆動中には所定の時間間隔で常にメモリ４１０に記憶されているエンジン駆動許可フラグの値を参照する。そして、エンジン制御部４００は、エンジン駆動フラグに値０（エンジン駆動不許可）が設定されている場合には、キー１００の操作によりエンジン始動が指示されてもエンジンの始動は行わず、エンジンが既に駆動中であればエンジンを停止させる制御を行う。一方、エンジン駆動フラグに値１（エンジン駆動許可）が設定されている場合には、キー１００の操作によりエンジン始動が指示されると、エンジンを始動させる制御を行い、エンジンが既に駆動中であればエンジンを引き続き駆動させる制御を行う。
【００２５】
以上説明したように、キー１００に内蔵されているＩＣタグ１１０に記録されているキーＩＤ、および運転免許証２００のＩＣタグ２１０に記録されている運転免許証情報を、認証装置３００の不揮発メモリ３７０に記憶されているものとそれぞれ照合し、双方ともに一致する場合にのみ自動車のエンジンが駆動されるので、キー１００と運転免許証２００を所持する所有者または所有者が予め許可した人のみが自動者を使用することができる。これにより、自動車の盗難の発生を抑制することができる。また、自動車の所有者のみならず、所有者が許可した人の運転免許証情報も不揮発メモリ３７０に記憶させることができるので、運転免許証２００を所持していれば、自動車の所有者および所有者によって運転が許可された人がその自動車を運転することができる。
【００２６】
なお、上記実施の形態において用いられるパスワードは、運転免許証２００のＩＣタグ２１０に予め記憶されている４桁の暗証番号２組とすることができる。
【００２７】
上記実施の形態の構成及び動作は例であって、本発明の趣旨を逸脱しない範囲で適宜変更することができることは言うまでもない。
【産業上の利用可能性】
【００２８】
本発明は、例えば、自動車の使用のみならず、パソコンやその他の機械を予め許可した特定の者だけが使用できるようにする場合にも適用することができる。
【図面の簡単な説明】
【００２９】
【図１】本発明の一実施の形態の構成例を示すブロック図である。
【図２】本実施の形態の動作を説明するためのフローチャートである。
【符号の説明】
【００３０】
１００  キー
１１０，２１０  ＩＣタグ
２００  運転免許証
３００  認証装置
３１０  ＣＰＵ
３２０  ＲＯＭ
３３０  ＲＡＭ
３４０  通信部
３５０  ＩＣリーダ
３６０  エンジン駆動制御部
３７０  不揮発メモリ
４００  エンジン制御部
４１０  メモリ
【図１】
2008239119.tif 000003
【図２】
2008239119.tif 000004